(57)【要約】【課題】脱脂性能に優れ、かつ長期間継続使用してもその脱脂性能が持続できる洗浄剤組成物の提供。【解決手段】アルカリ剤（Ａ）とカチオン性界面活性剤（Ｂ）とを含有し、カチオン性界面活性剤（Ｂ）の含有量が０．０１〜２０質量％であり、ｐＨが８〜１４である洗浄剤組成物。【選択図】なし【特許請求の範囲】
【請求項１】
アルカリ剤（Ａ）とカチオン性界面活性剤（Ｂ）とを含有し、カチオン性界面活性剤（Ｂ）の含有量が０．０１〜２０質量％であり、ｐＨが８〜１４である洗浄剤組成物。
【請求項２】
カチオン性界面活性剤（Ｂ）が下記一般式（Ｉ）で表される第四級アンモニウム塩型カチオン性界面活性剤である請求項１に記載の洗浄剤組成物。
【化１】
2018002907.tif 000005
〔一般式（Ｉ）中、Ｒ１〜Ｒ４のうちの２つ以上は、それぞれ独立して、炭素数１〜４のアルキル基、炭素数１〜４のヒドロキシアルキル基又は−（ＣＨ２ＣＨ２Ｏ）ｍ−Ｈ（ｍは、オキシエチレン基の平均付加モル数であり、１〜２５の数）であり、それ以外が炭素数６〜２８の直鎖又は分岐鎖の炭化水素基、フェニル基を有する炭素数１〜４のアルキル基である。Ｘ−はアニオンである。〕
【請求項３】
第四級アンモニウム塩型カチオン性界面活性剤が下記一般式（II）で表される化合物である請求項２に記載の洗浄剤組成物。
【化２】
2018002907.tif 000006
〔一般式（II）中、Ｒ５〜Ｒ７のうちの２つ以上は、それぞれ独立して、炭素数１〜４のアルキル基、炭素数１〜４のヒドロキシアルキル基であり、それ以外が炭素数６〜２８の直鎖又は分岐鎖の炭化水素基である。Ｒ８は炭素数１〜４のアルキレン基である。Ｘ−はアニオンである。〕
【発明の詳細な説明】
【技術分野】
【０００１】
本発明は洗浄剤組成物に関し、詳細には、洗浄槽内の洗浄液を使い回して継続的に洗浄することができる洗浄剤組成物に関する。
【背景技術】
【０００２】
一般に、金属面などの工業用部品表面には、グリース、鉱物油、圧延油、切削油、プレス油、伸線剤、その他の油脂性物質等の汚れが付着しており、更に金属粉などがその汚れに混入している場合がある。これらの汚れは、例えばめっき工程、塗装工程、表面処理工程等の前に除去する必要があり、このような工業用部品表面の洗浄は、通常、水溶性のアルカリ剤を主剤とし、界面活性剤を含有する水性洗浄液が用いられていることが多い。
水溶性のアルカリ剤としては、水酸化ナトリウム、水酸化カリウム、オルソ珪酸ナトリウム、メタ珪酸ナトリウム、炭酸ナトリウム、リン酸カリウム、リン酸ナトリウム等が用いられている。また、界面活性剤は、浸透性、乳化性、分散性、起泡性を有し、各種水性洗浄剤の洗浄性向上剤として非常に有用なものである。水溶性のアルカリ剤と界面活性剤の組合せにより得られる洗浄剤組成物は、アルカリ剤と界面活性剤の相互作用によりそれぞれ単独使用の場合と比較して、部品表面に付着した油脂性物質の脱落を容易にし、且つ鉱物油のようなケン化しにくい油脂性物質を洗浄剤中に安定して乳化分散させる等の効果が認められており、部品表面の洗浄剤として広く工業的に利用されている。
【０００３】
アルカリ剤とともに使用される界面活性剤の種類としては、従来、洗浄力を向上させる目的でアニオン性界面活性剤が用いられていた。しかし、アニオン性界面活性剤は、洗浄性に優れている反面、起泡性が強いため泡立ちが激しいこと、洗浄後の水洗において除去され難くすすぎ性が悪い等の欠点があった。このため、低起泡性かつすすぎ性の良好な非イオン界面活性剤が現在広く用いられている。
【０００４】
従来、このような性能を得るための洗浄剤組成物として、例えば特許文献１には、特定の非イオン界面活性剤と特定のアニオン界面活性剤とを併用した洗浄剤組成物が開示され、例えば特許文献２には、低泡性の非イオン界面活性剤を併用した洗浄剤組成物が開示されている。
【０００５】
しかしながら、これらの洗浄剤組成物は、一度使い切りの洗浄場面においては高い洗浄力が得られても、洗浄液を何度も使い回す場面においては、除去された油脂性物質が洗浄液中に溶け込んだり乳化したりすることで洗浄液が汚れ、結果的に洗浄対象物が再汚染し、良好な洗浄性が継続して得られにくいという課題がある。
【０００６】
この課題を解決して、洗浄対象物が洗浄液の汚れにより再汚染しないようにするために、カチオン性高分子（ポリマー）などを用いることを提案する文献も存在する。
しかし、この方法では一時的に高い洗浄効果を得たり、洗浄対象物への再汚染を防いだりすることができても、洗浄液を何度か使用していくうちに洗浄力が低下してしまい、継続して高い洗浄効果を得ることは困難である。
【先行技術文献】
【特許文献】
【０００７】
【特許文献１】特開平６−２４０４８０号公報
【特許文献２】特開２０１４−１８９６５２号公報
【発明の概要】
【発明が解決しようとする課題】
【０００８】
本発明は、以上のような事情に基づいてなされたものであり、洗浄力（以下、脱脂性能ともいう。）に優れ、かつ長期間継続使用してもその脱脂性能が持続できる洗浄剤組成物の提供を目的とするものである。
【課題を解決するための手段】
【０００９】
本発明者は、このような従来の問題点に鑑み鋭意検討を重ねた結果、脱脂性能の高いアルカリ剤（Ａ）とカチオン性界面活性剤（Ｂ）を含有し、所定のｐＨ値を有する洗浄剤組成物が、高い脱脂性能を有するとともに、その脱脂性能を持続させることができることを見いだし、本発明を完成するに至った。
【００１０】
すなわち本発明は、アルカリ剤（Ａ）とカチオン性界面活性剤（Ｂ）とを含有し、カチオン性界面活性剤（Ｂ）の含有量が０．０１〜２０質量％であり、ｐＨが８〜１４である洗浄剤組成物である。
【発明の効果】
【００１１】
本発明の洗浄剤組成物を含有する洗浄液は、脱脂性能が高く、かつ長期間継続使用しても除去された油汚れが洗浄液中に乳化したり、溶け込んだりし難いため、高い脱脂性能が長期間持続できる。
【発明を実施するための形態】
【００１２】
以下、本発明の洗浄剤組成物について説明する。
なお、本明細書において記号「〜」を用いて規定された数値範囲は「〜」の両端（上限および下限）の数値を含むものとする。例えば「２〜５」は２以上５以下を表す。
【００１３】
本発明の洗浄剤組成物は、アルカリ剤（Ａ）とカチオン性界面活性剤（Ｂ）とを含有する。
本発明の洗浄剤組成物に用いられ得るアルカリ剤（Ａ）は、洗浄剤組成物のｐＨをアルカリに調整することができるものであれは特に限定されず、例えば、水酸化ナトリウム、水酸化カリウム等の水酸化物；オルソケイ酸ナトリウム、メタケイ酸ナトリウム等のケイ酸ナトリウム類；オルソケイ酸カリウム、メタケイ酸カリウム等のケイ酸カリウム類；オルソリン酸ナトリウム、トリポリリン酸ナトリウム等のリン酸ナトリウム類；オルソリン酸カリウム、トリポリリン酸カリウム等のリン酸カリウム類；炭酸ナトリウム、炭酸カリウム等の炭酸塩類；重炭酸ナトリウム、重炭酸カリウム等の重炭酸塩類；モノエタノールアミン、ジエタノールアミン、トリエタノールアミン等のアミン類；アンモニア水等が挙げられる。
【００１４】
本発明においては、上記アルカリ剤（Ａ）のうち１種を単独で使用してもよいし、２種以上を併用してもよい。
【００１５】
本発明の洗浄剤組成物に用いられ得るカチオン性界面活性剤（Ｂ）は、洗浄剤組成物中に溶解することができるものであれは特に限定されず、例えば、アルキル（アルケニル）トリメチルアンモニウム塩、ジアルキル（アルケニル）ジメチルアンモニウム塩、アルキル（アルケニル）四級アンモニウム塩、エーテル基、エステル基及びアミド基のうち少なくとも１つの基を含有するモノ又はジアルキル（アルケニル）四級アンモニウム塩、アルキル（アルケニル）ピリジニウム塩、アルキル（アルケニル）ジメチルベンジルアンモニウム塩、アルキル（アルケニル）イソキノリニウム塩、ジアルキル（アルケニル）モルホニウム塩、ポリオキシエチレンアルキル（アルケニル）アミン、アルキル（アルケニル）アミン塩、ポリアミン脂肪酸誘導体、アミルアルコール脂肪酸誘導体、塩化ベンザルコニウム、塩化ベンゼトニウム等が挙げられる。
【００１６】
上記カチオン性界面活性剤（Ｂ）における「アルキル（アルケニル）」とは、アルキル基又はアルケニル基を表す。
アルキル基としては、例えば炭素数が１〜３０、好ましくは６〜２２、特に好ましくは８〜１８の直鎖又は分枝鎖のアルキル基が挙げられ、具体的には、メチル、エチル、プロピル、イソプロピル、ブチル、sec−ブチル、イソブチル、tert−ブチル、デシル、ドデシル、テトラデシル、ヘキサデシル、オクタデシル等が挙げられる。また、混合脂肪酸由来のアルキル基であってもよく、混合脂肪酸としては、ヤシ油、パーム油、パーム核油、硬化牛脂などが挙げられる。
アルケニル基としては、例えば炭素数が１〜３０、好ましくは６〜２２、特に好ましくは８〜１８の直鎖又は分枝鎖のアルケニル基が挙げられ、具体的には、ビニル、２−ブテニル、２−メチルアニル等が挙げられる。また、混合脂肪酸由来のアルケニル基であってもよく、混合脂肪酸としては、ヤシ油、パーム油、パーム核油、硬化牛脂などが挙げられる。
これらアルキル基又はアルケニル基は、酸素原子、硫黄原子、窒素原子などのヘテロ原子を含んでいても良く、例えば、ヒドロキシアルキル基、オキシアルキレン基を構成していてもよい。
また、アルキル（アルケニル）ジメチルベンジルアンモニウム塩におけるフェニル基は、ハロゲン原子、炭素数１〜４のアルキル基、水酸基等の置換基を有していてもよい。
【００１７】
上記カチオン性界面活性剤（Ｂ）のなかでも第四級アンモニウム塩型カチオン性界面活性剤が好ましい。第四級アンモニウム塩型カチオン性界面活性剤としては、例えば下記一般式（Ｉ）で表される化合物が好ましい。
【００１８】
【化１】
2018002907.tif 000002
【００１９】
〔一般式（Ｉ）中、Ｒ１〜Ｒ４のうちの２つ以上は、それぞれ独立して、炭素数１〜４のアルキル基、炭素数１〜４のヒドロキシアルキル基又は−（ＣＨ２ＣＨ２Ｏ）ｍ−Ｈ（ｍは、オキシエチレン基の平均付加モル数であり、１〜２５の数）であり、それ以外が炭素数６〜２８の直鎖又は分岐鎖の炭化水素基、フェニル基を有する炭素数１〜４のアルキル基である。Ｘ−はアニオンである。〕
【００２０】
一般式（Ｉ）中のＲ１〜Ｒ４のうちの２つ以上（即ち２、３又は４）は、それぞれ独立して、炭素数１〜４のアルキル基、炭素数１〜４のヒドロキシアルキル基又は−（ＣＨ２ＣＨ２Ｏ）ｍ−Ｈ〔ｍは、オキシエチレン基の平均付加モル数（即ち、エチレンオキシドの平均繰り返し数）であり、１〜２５の数〕である。
炭素数１〜４のアルキル基としては、例えば、メチル、エチル、プロピル、イソプロピル、ブチル、sec−ブチル、イソブチル、tert−ブチルなどが挙げられる。
炭素数１〜４のヒドロキシアルキル基としては、例えば、ヒドロキシメチル、ヒドロキシエチル、２−ヒドロキシプロピルなどが挙げられる。
洗浄力向上の点から、Ｒ１〜Ｒ４のうちの２つ以上は、炭素数１〜２のアルキルであることが好ましく、メチルが特に好ましい。
【００２１】
一般式（Ｉ）中のＲ１〜Ｒ４のうち、上記の基（炭素数１〜４のアルキル基、炭素数１〜４のヒドロキシアルキル基及び−（ＣＨ２ＣＨ２Ｏ）ｍ−Ｈ）を除く２つ以下（即ち２、１又は０）は、炭素数６〜２８、好ましくは６〜２２、特に好ましくは８〜１８の直鎖又は分岐鎖の炭化水素基、フェニル基を有する炭素数１〜４のアルキル基である。炭化水素基としては、例えば、アルキル基及びアルケニル基が挙げられる。
炭化水素基におけるアルキル基としては、炭素数が６〜２８、好ましくは６〜２２、特に好ましくは８〜１８の直鎖又は分岐鎖のアルキル基が挙げられ、具体的には、デシル、ドデシル、テトラデシル、ヘキサデシル、オクタデシル等が挙げられる。また、混合脂肪酸由来のアルキルであってもよく、混合脂肪酸としては、ヤシ油、パーム油、パーム核油、硬化牛脂などが挙げられる。
炭化水素基におけるアルケニル基としては、炭素数が６〜２８、好ましくは６〜２２、特に好ましくは８〜１８の直鎖又は分枝鎖のアルケニル基が挙げられる。また、混合脂肪酸由来のアルケニルであってもよく、混合脂肪酸としては、ヤシ油、パーム油、パーム核油、硬化牛脂などが挙げられる。
フェニル基を有する炭素数１〜４のアルキル基としては、例えば、ベンジル、フェネチル、ヒドロシンナミル等が挙げられる。フェニル基は、ハロゲン原子、炭素数１〜４のアルキル基、水酸基等の置換基を有していてもよい。
Ｒ１〜Ｒ４のうちの１つが、フェニル基を有する炭素数１〜４のアルキル基であることが特に好ましい。
【００２２】
Ｘ−はアニオンであり、例えば、ハロゲンアニオン、カルボキシラートアニオン、硫酸メチルアニオン等が挙げられる。ハロゲンアニオンにおけるハロゲンとしては、例えば、塩素、臭素、ヨウ素等が挙げられ、カルボキシラートアニオンにおけるカルボン酸としては、例えば、酢酸、シュウ酸等が挙げられる。
【００２３】
一般式（Ｉ）で表される化合物の具体例としては、例えば、アルキル（ヤシ）ジメチルベンジルアンモニウムクロライド、テトラデシルジメチルベンジルアンモニウムクロライド、ヘキサデシルトリメチルアンモニウムクロライド、ジアルキル（硬化牛脂）ジメチルアンモニウムクロライド、ジデシルジメチルアンモニウムクロライド、オクタデシルトリメチルアンモニウムクロライド、ドデシルトリメチルアンモニウムクロライド等が挙げられる。
【００２４】
上記第四級アンモニウム塩型カチオン性界面活性剤のなかでも下記一般式（II）で表される化合物が特に好ましい。
【００２５】
【化２】
2018002907.tif 000003
【００２６】
〔一般式（II）中、Ｒ５〜Ｒ７のうちの２つ以上は、それぞれ独立して、炭素数１〜４のアルキル基、炭素数１〜４のヒドロキシアルキル基であり、それ以外が炭素数６〜２８の直鎖又は分岐鎖の炭化水素基である。Ｒ８は炭素数１〜４のアルキレン基である。Ｘ−はアニオンである。〕
【００２７】
一般式（II）中、Ｒ５〜Ｒ７のうちの２つ以上（即ち、２又は３）は、それぞれ独立して、炭素数１〜４のアルキル基、炭素数１〜４のヒドロキシアルキル基であり、それ以外が炭素数６〜２８の直鎖又は分岐鎖の炭化水素基である。
一般式（II）における炭素数１〜４のアルキル基、炭素数１〜４のヒドロキシアルキル基、及び炭素数６〜２８の直鎖又は分岐鎖の炭化水素基は、一般式（Ｉ）と同義である。
洗浄力向上の点から、Ｒ５〜Ｒ７のうちの１つ以上は、炭素数６〜２８、特に１２〜１４の直鎖又は分岐鎖の炭化水素基であることが好ましい。炭化水素基としては、例えば、アルキル基及びアルケニル基が挙げられる。
Ｒ８は炭素数１〜４、好ましくは１〜２のアルキレン基であり、メチルが特に好ましい。Ｘ−はアニオンであり、一般式（Ｉ）と同義である。
【００２８】
一般式（II）で表される化合物の具体例としては、例えば、アルキル（ヤシ）ジメチルベンジルアンモニウムクロライド、テトラデシルジメチルベンジルアンモニウムクロライド等が挙げられる。
【００２９】
本発明においては、上記カチオン性界面活性剤（Ｂ）のうち１種を単独で使用してもよいし、２種以上を併用してもよい。
【００３０】
本発明の洗浄剤組成物は、通常、溶媒に溶解して洗浄液として用いられる。溶解に用いる溶媒としては、例えば、蒸留水、精製水、イオン交換水、水道水などの水を使用することができる。
【００３１】
本発明の洗浄剤組成物を洗浄液として用いる場合、洗浄液中のアルカリ剤（Ａ）の含有量は、本発明規定のｐＨに調整できる限りにおいて特に限定されるものではないが、洗浄液全量に対して０．００１〜５０質量％が好ましく、０．００５〜３０質量％が特に好ましく、０．０１〜２０質量％が更に好ましい。アルカリ剤（Ａ）の含有量が少なすぎると脱脂持続性能が期待できない場合があり、含有量が多すぎると洗浄液の安定性が低下し、均一溶液とならない場合がある。
【００３２】
本発明の洗浄剤組成物を洗浄液として用いる場合、洗浄液中のカチオン性界面活性剤（Ｂ）の含有量は、洗浄液全量に対して０．０１〜２０質量％であり、０．０５〜１０質量％が好ましく、０．１〜５％が特に好ましい。カチオン性界面活性剤（Ｂ）の含有量が少なすぎると脱脂持続性能が期待できない場合があり、含有量が多すぎると添加量に見合った効果が得られない場合がある。
【００３３】
本発明の洗浄剤組成物は、アルカリ剤（Ａ）及びカチオン性界面活性剤（Ｂ）の配合比が、質量比で、アルカリ剤（Ａ）／カチオン性界面活性剤（Ｂ）＝１／０．０１〜０．０１／１であることが好ましく、１／０．１〜０．１／１であることが特に好ましく、１／０．２〜０．２／１であることが更に好ましい。
【００３４】
本発明の洗浄剤組成物は、本発明の効果を損なわない範囲において、ノニオン性界面活性剤、両性界面活性剤、防錆剤、有機溶剤、キレート剤、消泡剤、防腐剤、色素、香料等の他の成分が配合されていてもよい。
【００３５】
ノニオン性界面活性剤は、洗浄力を更に向上させる機能を有する。ノニオン性界面活性剤としては、例えば、ポリオキシエチレンアルキルエーテル、ポリオキシエチレンアルケニルエーテル、ポリオキシエチレンポリオキシプロピレンアルキルエーテル（エチレンオキサイドとプロピレンオキサイドの付加形態は、ランダム状、ブロック状の何れでもよい。）、ポリエチレングリコールプロピレンオキサイド付加物、ポリプロピレングリコールエチレンオキサイド付加物、グリセリン脂肪酸エステル又はそのエチレンオキサイド付加物、ソルビタン脂肪酸エステル、ポリオキシエチレンソルビタン脂肪酸エステル、アルキルポリグルコシド、脂肪酸モノエタノールアミド又はそのエチレンオキサイド付加物、脂肪酸−Ｎ−メチルモノエタノールアミド又はそのエチレンオキサイド付加物、脂肪酸ジエタノールアミド又はそのエチレンオキサイド付加物、ショ糖脂肪酸エステル、アルキル（ポリ）グリセリンエーテル、ポリグリセリン脂肪酸エステル、ポリエチレングリコール脂肪酸エステル、脂肪酸メチルエステルエトキシレート、Ｎ−長鎖アルキルジメチルアミンオキサイド、Ｎ−長鎖アルキルジヒドロキシエチルアミンオキサイド等が挙げられる。ノニオン性界面活性剤を本発明の洗浄剤組成物に含有させることにより、洗浄力を更に向上させることができる。
これらの中でも洗浄力を向上させる効果が良好なことから、ポリオキシエチレンアルキルエーテル、ポリオキシエチレンアルケニルエーテル、ポリオキシエチレンポリオキシプロピレンアルキルエーテル、ポリエチレングリコールプロピレンオキサイド付加物、ポリプロピレングリコールエチレンオキサイド付加物等のポリアルキレンオキサイド付加物が好ましい。
これらのノニオン性界面活性剤は、洗浄液全量に対して０．０５〜５質量％配合することが好ましい。
【００３６】
キレート剤は、高硬度の水を含有する洗浄液においても良好な洗浄力を維持させる機能を有する。キレート剤としては、例えば、オルトリン酸ナトリウム、ピロリン酸ナトリウム、トリポリリン酸ナトリウム、ヘキサメタリン酸ナトリウム等のリン酸塩；ニトリロ三酢酸塩（ＮＴＡ）、エチレンジアミン四酢酸塩（ＥＤＴＡ）、ヒドロキシエチレンジアミン三酢酸（ＨＥＤＴＡ）、ジエチレントリアミノ五酢酸塩（ＤＴＰＡ）、トリエチレンテトラアミン六酢酸塩（ＴＴＨＡ）、ヒドロキシエチルイミノ二酢酸塩（ＨＩＤＡ）、ジヒドロキシエチルグリシン（ＤＨＥＧ）、メチルグリシン二酢酸塩（ＭＧＤＡ）、グルタミン酸二酢酸塩（ＧＬＤＡ）、アスパラギン酸二酢酸塩（ＡＳＤＡ）、β- アラニン二酢酸塩（ＡＤＡ）、セリン二酢酸（ＳＤＡ）等のアミノポリ酢酸塩；グリシン、アラニン、グルタミン酸、アスパラギン酸等のアミノ酸や、グルコール酸、乳酸、クエン酸、グルコン酸、酒石酸、リンゴ酸等の有機酸；ポリアクリル酸又はその塩、ポリフマル酸又はその塩、ポリマレイン酸又はその塩、ポリ−α−ヒドロキシアクリル酸又はその塩、ポリアセタールアクリル酸又はその塩等の高分子が挙げられる。
これらのキレート剤は、洗浄液全量に対して０．１〜５質量％配合することが好ましい。
【００３７】
本発明の洗浄剤組成物の洗浄対象物は、特に限定されないが、油脂性物質が付着した部材であり、洗浄槽内に浸漬して継続的に洗浄される部材であることが本発明の効果がより顕著となる点で好ましい。かかる部材としては、例えば、工業用部品や食器などが挙げられる。工業用部品や食器などの材質としては、例えば、金属、ガラス、陶器、樹脂などが挙げられる。
【００３８】
本発明の洗浄剤組成物を用いて洗浄対象物を洗浄する場合について例示的に説明する。
まず、水を導入した洗浄槽内に、アルカリ剤（Ａ）の水溶液とカチオン性界面活性剤（Ｂ）の水溶液をそれぞれ加えて、アルカリ剤（Ａ）及びカチオン性界面活性剤（Ｂ）の各濃度が上記に記載の範囲となる洗浄液を調製する。なお、アルカリ剤（Ａ）及びカチオン性界面活性剤（Ｂ）を共に溶解した水溶液を洗浄槽内に加えてもよい。
【００３９】
次に、洗浄対象物を洗浄液に浸漬して、洗浄対象物の表面に付着した油脂性物質などの汚れを除去する。このとき、洗浄液を攪拌することが好ましい。
洗浄時の洗浄液のｐＨは８〜１４であり、脱脂性能を発揮するには１０〜１４が好ましい。また洗浄時の洗浄液の温度は２０〜１００℃が好ましく、脱脂性能、溶媒の蒸発を考慮すると４０〜８０℃が特に好ましい。
【００４０】
洗浄が終了した洗浄対象物を洗浄液から取り出し、必要に応じて、洗浄対象物に水洗や乾燥処理を施す。本発明の洗浄剤組成物は、脱脂性能が高いだけでなく、長期間継続使用しても除去された油汚れが洗浄液中に乳化したり、溶け込んだりし難いため、高い脱脂性能を長期間持続できる。したがって、洗浄槽内の洗浄液を交換することなく、継続的に新たな洗浄対象物を洗浄液に浸漬して洗浄を行なうことができる。
【実施例】
【００４１】
以下、本発明を実施例により、更に具体的に説明する。
実施例及び比較例の組成物で使用した各成分の詳細は以下のとおりである。
【００４２】
１．アルカリ剤（Ａ）
アルカリ剤（ａ）：水酸化ナトリウム
アルカリ剤（ｂ）：オルソケイ酸ナトリウム
アルカリ剤（ｃ）：メタケイ酸ナトリウム
アルカリ剤（ｄ）：炭酸ナトリウム
【００４３】
２．カチオン性界面活性剤（Ｂ）
カチオン性界面活性剤（ａ）：アルキル（ヤシ）ジメチルベンジルアンモニウムクロライド（日油（株）製「カチオンF2-50」）
カチオン性界面活性剤（ｂ）：テトラデシルジメチルチルベンジルアンモニウムクロライド（日油（株）製「カチオンM2-100」）
カチオン性界面活性剤（ｃ）：ヘキサデシルトリメチルアンモニウムクロライド（日油（株）製「カチオンPB-300」）
カチオン性界面活性剤（ｄ）：ジアルキル（硬化牛脂）ジメチルアンモニウムクロライド（日油（株）製「カチオン2ABT」）
カチオン性界面活性剤（ｅ）：ジデシルジメチルアンモニウムクロライド（日油（株）製「カチオン2DB-500E」）
カチオン性界面活性剤（ｆ）：オクタデシルトリメチルアンモニウムクロライド（日油（株）製「カチオンAB」）
カチオン性界面活性剤（ｇ）：ドデシルトリメチルアンモニウムクロライド（日油（株）製「カチオンBB」）
カチオン性界面活性剤（ｈ）：オクタデシルアミン酢酸塩（日油（株）製「カチオンSA」）
【００４４】
３．その他成分
ノニオン性界面活性剤（ａ）：ポリオキシエチレンポリプロピレンブロックポリマー（日油（株）製「プロノン201」）
ノニオン性界面活性剤（ｂ）：ポリオキシエチレンノニルフェニルエーテル（日油（株）製「ノニオンNS-210」）
アニオン性界面活性剤（ｃ）：テトラデセンスルホン酸ナトリウム（ライオン・スペシャリティ・ケミカルズ（株）製「リポランLJ-441」）
【００４５】
洗浄力性能、洗浄効果持続性能を評価するための試験方法およびその試験結果を下記に記す。
【００４６】
（洗浄力性能）
ステンレス板（６０×４５×１．０ｍｍ）の片面にグリース（エクソンモービル社製アラペンＲＢ３００）約２ｇを均一に塗布した。２００ｍｌビーカーに表１に記載の洗浄剤を２００ｇ加え８０℃に加温し、マグネチックスターラーにて一定攪拌状態とし、ステンレス板を４０分間浸漬した。浸漬後のテストピースをビーカーから取り出し、流水で軽く洗浄した後に乾燥させ、洗浄前後の重量変化より下記の式にて洗浄率を算出し、下記の基準で評価した。
洗浄率（％）＝｛（（グリースを塗布した後のステンレス板の質量）−（洗浄後のステンレス板の質量））／（塗布したグリースの実際の質量）｝×１００
◎：洗浄率１００％〜８０％以上
○：洗浄率８０％未満〜６０％以上
△：洗浄率６０％未満〜４０％以上
×：洗浄率４０％未満
【００４７】
（洗浄効果持続性能）
洗浄後、除去された油汚れが洗浄液中に溶け込んだり、分散した状態であると乳化状態（エマルジョン）となる。上記洗浄力性能評価での洗浄後２４時間後の洗浄液（液温２０℃）の状態を目視にて確認した。洗浄後の洗浄液の濁り（透明度）から、洗浄液の劣化状態を評価した。
◎：濁りなし（洗浄液の劣化なし）
○：僅か濁りあり（ほぼ洗浄液の劣化なし）
△：濁りあり（洗浄液の劣化あり）
×：濁り大（洗浄液の劣化大）
【００４８】
【表１】
2018002907.tif 000004
【００４９】
表１から分かるように、本発明の洗浄剤組成物である実施例１〜８では、比較例１〜５に比べ、洗浄率が高く、また洗浄後に洗浄液の濁りが少ない。したがって、本発明に係る実施例においては、脱脂性能が高く、かつ洗浄力の持続性能に優れていることが明らかになった。